Podtech/llm-jp-corpus-v4-ja_patent huggingface dataset:
(57)【要約】      （修正有）【課題】軽量でかつ簡易に鮫の襲撃を回避するための開発。【解決手段】鮫に乾電池を近づけると一目散に逃げ出す。この鮫の性質を利用し本考案のケースを考案した。当該ケースは、乾電池を挿入したまま携帯できる軽量小型の簡易なケースで乾電池の電極を露出させることにより当該ケース付近において電場が生じ、鮫が近寄りにくくなる。また当該ケースを携帯、装着することで海中での作業や行動に負担をかけることもない。【選択図】図１
0003130207.tif 000002
【実用新案登録請求の範囲】
【請求項１】
ケースに収めた乾電池より電場を発生させることで鮫が近寄ってこないエリアを作ることで鮫からの攻撃を回避することを目的としたケース。
【請求項２】
本体は主として円筒状もしくは多角柱状で、付属する金属リングや本体付属の帯状部分をループ状にして身体、衣服もしくは器具に装着することが可能なケース
【請求項３】
ケース使用時は単三乾電池が収まった状態であり、その際に乾電池の両電極が露出するように考案されているケース。
【考案の詳細な説明】
【技術分野】
【０００１】本考案は、海上及び海中での作業またはマリンスポーツ等を行うに際し、ときに遭遇する鮫からの襲撃を回避することを目的としており、本考案ケースを携帯、もしくは装着することで、鮫の攻撃によっておこる不慮の事故を少しでも減少させるよう考案されている。
【背景技術】
【０００２】海上及び海中での作業またはマリンスポーツ等を行う際、海上や海中において、鮫に遭遇した場合、人間は、まったくの無防備であり、これによって鮫から攻撃を受けた際は自身の生命を危険にさらすことになる。このような危機を回避するための簡易な方法が考案されていなかった。
【考案の開示】
【考案が解決しようとする課題】
【０００３】鮫の襲撃から回避するためには、ケージで身を守る、またはこれに反撃するための銃火器を常時携帯しておく等、大掛かりな装置や重量のある装備をしなければならなかったので簡易な方法でこれらを解決することが望まれていた。
【課題を解決するための手段】
【０００４】本考案では課題解決のため下記の手段を採用する。請求項１では、本体部分に乾電池が挿入される形態を有するよう考案されている。請求項２では海上や海中において人体や使用器具へ簡単に装着が可能であるように考案されている。これは鮫が微弱な電流に反応し、この電流を嫌がる性質を応用するものである。また本考案によって重装備をすること無く、鮫からの危険を回避可能にした。このことを特徴とするケース。
【考案の効果】
【０００５】以上説明したように本考案は、海上及び海中での作業またはマリンスポーツ等において鮫から私たちの生命の危険を回避するよう考案したものである。
【考案を実施するための最良の形態】
【０００６】図面を参照して、本発明を詳細に説明すると、
図１は考案するケースの全体図と使用手順を示してある。ケースに挿入された乾電池の露出しているプラスとマイナスの電極から海中へと微弱電流が放電される。
【実施例】
【０００７】本体に乾電池を挿入した後、本体の金具もしくは本体をループ状にして、身体もしくは器具等に取付けるだけで乾電池の電極部より海中に電気を放電する。これによって装着者の付近に鮫の嫌がる電場が形成される。
【産業上の利用可能性】
【０００８】大掛かりな構造や仕組みを講じる事無く、簡易なケースを携帯または装着することで効果を得られるので、安価で供給することが可能となり、具体的には漁業従事者、潜水夫、マリンスポーツ愛好家等に安心して海中で作業やスポーツを楽しんでもらえる。
【図面の簡単な説明】
【０００９】
【図１】  本考案全体図及び使用手順
【符号の説明】
【０００８】ａ  ケース本体
ｂ  ベルクロテープ（♂）
ｃ  ベルクロテープ（♀）
ｄ  取付けリング
【図１】
0003130207.tif 000003
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
乾電池の電極を露出させたままでケースに収めることができる構造で、本体は主として円筒状もしくは多角柱状で、付属する金属リングや本体付属の帯状部分をループ状にして身体、衣服もしくは器具に装着することが可能なケース
【手続補正２】
【補正対象書類名】明細書
【補正対象項目名】全文
【補正方法】変更
【補正の内容】
【考案の詳細な説明】
【技術分野】
【０００１】本考案は、海上及び海中での作業またはマリンスポーツ等を行うに際し、ときに遭遇する鮫からの襲撃を回避することを目的としており、本考案ケースを携帯、もしくは装着することで、鮫の攻撃によっておこる不慮の事故を少しでも減少させるよう考案されている。
【背景技術】
【０００２】海上及び海中での作業またはマリンスポーツ等を行う際、海上や海中において、鮫に遭遇した場合、人間は、まったくの無防備であり、これによって鮫から攻撃を受けた際は自身の生命を危険にさらすことになる。このような危機を回避するための簡易な方法が考案されていなかった。
【考案の開示】
【考案が解決しようとする課題】
【０００３】鮫の襲撃から回避するためには、ケージで身を守る、またはこれに反撃するための銃火器を常時携帯しておく等、大掛かりな装置や重量のある装備をしなければならなかったので簡易な方法でこれらを解決することが望まれていた。
【課題を解決するための手段】
【０００４】本考案では課題解決のため下記の手段を採用する。請求項１では、本体部分に乾電池が挿入される形態を有するよう考案されており、また、海上や海中において人体や使用器具へ簡単に装着が可能であるように考案されている。
【考案の効果】
【０００５】以上説明したように本考案は、乾電池を挿入したケースを海中で身の回りに携帯できることを特徴とする考案で、これは鮫が微弱な電流に反応し、この電流を嫌がる性質を応用するものである。また本考案によって重装備をすること無く、鮫からの危険を回避可能にした。このことを特徴とするケース。
【考案を実施するための最良の形態】
【０００６】図面を参照して、本発明を詳細に説明すると、
図１は考案するケースの全体図と使用手順を示してある。ケースに挿入された乾電池の露出しているプラスとマイナスの電極から海中へと微弱電流が放電される。
【実施例】
【０００７】本体に乾電池を挿入した後、本体の金具もしくは本体をループ状にして、身体もしくは器具等に取付けるだけで乾電池の電極部が海中で露出される。このことによって、体の周りに鮫の嫌がる電流が発生するエリアができる。
【産業上の利用可能性】
【０００８】大掛かりな構造や仕組みを講じる事無く、簡易なケースを携帯または装着することで効果を得られるので、安価で供給することが可能となり、具体的には漁業従事者、潜水夫、マリンスポーツ愛好家等に安心して海中で作業やスポーツを楽しんでもらえる。
【図面の簡単な説明】
【０００９】
【図１】本考案全体図及び使用手順
【符号の説明】
【０００８】ａ  ケース本体
ｂ  ベルクロテープ（♂）
ｃ  ベルクロテープ（♀）
ｄ  取付けリング
(57)【要約】      （修正有）【課題】矢柄の力学特性である重量分布と剛性を仕上げ工程に近い後加工で個体差を無くす工夫を施された、矢の重心位置や重量を自在に変えられる金属片を提供する。【解決手段】矢柄外側の任意な位置に銅箔を貼り重量分布と剛性を任意に設定する。仕上げ前に得られた力学特性を確認し、修正する。【選択図】図１
0003130226.tif 000002
【実用新案登録請求の範囲】
【請求項１】
矢柄の外面で層状を成し、矢柄の重量分布を任意に設定・調整可能である、金属片。
【考案の詳細な説明】
【技術分野】
【０００１】  和洋に関わらず  弓に依り放たれる矢の  重量分布、剛性など力学特性に矢毎の個体差が在っては、再現性が悪く、的中率を損ねる。本考案は  その個体差を無くす工夫である。
【背景技術】
【０００２】  従来  和洋に関わらず、矢柄の原材は  力学特性として全長に渡り均質なものが良材で、加工されるに従い  矢として好都合な  箇所特性を付与され  良好な矢柄となる。【０００３】  箇所特性を付与する方法として、矢柄原材の力学特性の偏りで  和弓用矢の  杉成（矢尻付近が太く・強い）、一文字（全長均質）、麦粒（中央部が太い）など  好都合な性状の部分のみ採用する場合と、全長の各箇所が期待される力学特性を後加工で付与する場合がある。【０００４】  好都合な部分のみ採用する事は  原材が益々高価となる昨今難しく、後加工による事は仕上工程での微修正を可能とし、更には  射手の好みに対応する可能性を与える。
【考案の開示】
【考案が解決しようとする課題】
【０００５】  概ね  全長均質な原材の  特定な箇所を加重・補強するのに  矢柄の芯へ施すのは安易ではあるが  なるべく後工程で施すには、矢柄の外層へ施す事が最良である。
【課題を解決するための手段】
【０００６】  矢柄外層の任意位置へ  金属など比重・強度の大きい筒、切片、螺旋状物を接着する。
【考案の効果】
【０００７】  矢柄へ矢尻、羽根、筈など取り付け、矢としての力学的特性がやや定まりつつある時、上記［０００６］へ記述した金属など比重・強度の大きい筒、切片、螺旋状物（以後錘）を、任意の箇所へ接着する事に依って、任意の重量分布と剛性を得る。
【考案を実施するための最良の形態】
【０００８】  図１のように  矢柄の中央より矢尻近くの任意の位置に  錘を付帯する。
【実施例１】
【０００９】  図２のように  銅箔をリボン状に裁断し  片面に接着剤を施し  巻き付けたた物。
【実施例２】
【００１０】  図３又は図４のように  銅薄板の片面に接着剤を施し  円筒状に被せた物。
【実施例３】
【００１１】  図５のように  矢柄の任意の位置に接着剤を施し  そこへ錘として銅薄肉管を被せる。
【産業上の利用可能性】
【００１２】  矢柄に限らず  細くてしなやかな弾性体の両端を繋ぎ  輪を造った場合、繋材として、往々にして金属管が採用されるが、管の重量の故  全体の姿勢が損なわれる例が多い。
そのような場合  輪の仕上げに  対抗する錘として当考案の銅箔帯を採用すると  容易に解決する。
【図面の簡単な説明】
【００１３】
【図１】矢柄全長の中央より矢尻に近い位置に錘を施した状態
【図２】幅の狭いリボン状の銅箔又は薄板を矢柄の任意な位置に巻き付けた状態
【図３】幅が矢柄外径のπ／２倍である銅箔又は薄板帯を一対被せた状態
【図４】幅が矢柄外径のπ倍である銅箔又は薄板帯を被せた状態
【図５】管内径が矢柄外径に適応する銅薄肉管
【図１】
0003130226.tif 000003
【図２】
0003130226.tif 000004
【図３】
0003130226.tif 000005
【図４】
0003130226.tif 000006
【図５】
0003130226.tif 000007
(57)【要約】      （修正有）【課題】戸外で急の降雨に会った時、日傘では雨が中にしぶいて役に立たない。【解決手段】小さく畳んである防水傘カバーをひろげ日傘に被せることによって簡単に問題を解決出来る。            【選択図】図３
0003130224.tif 000002
【実用新案登録請求の範囲】
【請求項１】
傘の布の部分全体に防水布を被せ傘の骨の先端の金具に止具を被せ随時取りはずし出来る様にしたカバー
【考案の詳細な説明】
【技術分野】
【０００１】本考案は傘の石づき及布の部分全体を覆うカバー傘の骨の先端の金具にカバーの止具を被せる
【背景技術】
【０００２】晴天で日傘をさして外出する時でも雨の用意はあった方がよい。
【考案の開示】
【考案が解決しようとする課題】
【０００３】戸外で急の降雨に会った時、日傘では雨が中にしぶいて役に立たない
【課題を解決するための手段】
【０００４】小さく畳んである本考案をひろげ日傘に被せることによって簡単に問題を解決出来る
【考案の効果】
【０００５】小さく折畳めるので持歩きに便利である
【実施例】
【０００６】以下添付図面に従って実施例を説明する
【図面の簡単な説明】
【０００７】
【図１】正面図
【図２】石づきに被せる筒拡大図
【図３】横から見た全体図
【図４】骨の先端にある金具に被せる管の拡大図
【符号の説明】
【０００８】１  本体の傘の骨の数によって止具の数も変る
２  生地は１枚布でもよく縫い合せでもよい。
３  石づきに被せる部分
４  止具と止具の間直線でも可
【図１】
0003130224.tif 000003
【図２】
0003130224.tif 000004
【図３】
0003130224.tif 000005
【図４】
0003130224.tif 000006
(57)【要約】      （修正有）【課題】振動等により外れることのない自動車用網戸の取り付け具を提供する。【解決手段】自動車用網戸の取り付け具１０は取り付け穴１３と回転抑止つめ１１を備えており、自動車用網戸の枠体２０に取り付け穴１３を利用してネジ等で取り付け、その取り付け部を中心に回転することができる。しかし、回転抑止つめ１１が網戸枠体２０の辺部にあたることで回転が抑止され、取り付け具１０の端部１２が窓枠の凹部に嵌め込まれた位置から重力方向に回転しないようになる。そのことによって自動車の振動等によって自動車用網戸が外れるようなことがなくなり、安全かつ安心して自動車用網戸を使用することができる。【選択図】図１
0003130274.tif 000002
【実用新案登録請求の範囲】
【請求項１】
自動車用網戸を車両の窓に取り付けるための取り付け具であって、網戸枠体へのネジ等による取り付け部を中心に回転する機能を持つが、取り付け具に具備する回転抑止つめが網戸枠体の辺部にあたることで概ね９０度を超える範囲の回転は抑止されるため、窓枠の凹部に嵌め込まれた取り付け具の端部が水平方向から重力方向への回転を抑止する機能を具備する自動車用網戸の取り付け具。
【考案の詳細な説明】
【技術分野】
【０００１】
本考案は、自動車の窓に取り付けられる自動車用網戸の取り付け具に関するものである。
【背景技術】
【０００２】
自動車用の網戸として、自動車の窓枠に略合致する大きさの枠体と、この枠体に設けられる網本体により成る自動車用網戸が考案されている。
【０００３】
これらの自動車用網戸は、枠体から突出する形状の取り付け具を枠体に設け、その取り付け具を窓枠の凹部に嵌め込むことで装着を可能としている。
【０００４】
取り付け具については、枠体への取り付け部を中心に３６０度自在に回転が可能なつめを設けたもの（特許文献１）、枠体に着脱可能な差込片を設けたもの（特許文献２）などが考案されている。
【特許文献１】実開平０４−０５６５１３公開
【特許文献２】実登３１１７８１６公開
【考案の開示】
【考案が解決しようとする課題】
【０００５】
上記のうち特許文献１の取り付け具の形状においては、枠体に取り付けられたつめが取り付け部を中心に３６０度自在に回転可能であるため、自動車の振動等によってつめの角度が変わり外れてしまうという不都合が生じる。
【０００６】
特に自動車が走行中の場合、上記の不都合は後続車両等にとっては非常に大きな脅威となりうる。
【０００７】
そこで本考案は、上記の欠点を解決するため、自動車の走行などの振動によって外れることがない自動車用網戸の取り付け具を提供することを目的とする。
【課題を解決するための手段】
【０００８】
上記課題を解決するために本考案に係る自動車用網戸の取り付け具は、自動車の窓枠に略合致する大きさの枠体を持つ自動車用網戸の枠体に設ける取り付け具であって、枠体への取り付け部を中心に回転する機能を持つ一方、必要以上の回転を抑止する構造が設けられたものである。
【０００９】
上記の必要以上の回転角度とは、概ね９０度以上の回転角度をいう。
【考案の効果】
【００１０】
以上述べたように、本考案によると、自動車用網戸枠体に設けられた取り付け具が、窓枠の凹部に嵌め込まれた位置から重力方向へ回転しないように構成されているので、自動車の振動等によって外れることがなく、安全かつ安心して自動車用網戸を使用することができる。
【考案を実施するための最良の形態】
【００１１】
以下、本考案の好ましい一実施形態を図面に基づき説明する。
【００１２】
図１は本考案の一実施形態を示した斜視図であり、図２は本考案を自動車用網戸に取り付けた状態の一実施形態を示した平面図であり、図３は図２の本考案取り付け部の部分拡大平面図であり、図４は本考案を使用した自動車用網戸の車両窓枠への取り付け状態を示す水平断面図である。
【００１３】
図１に示すように本考案に係る自動車用網戸の取り付け具１０は、回転抑止つめ１１が左右対称に位置する取り付け具（左用）１０１と取り付け具（右用）１０２がある。素材としては、ステンレスなどの金属薄板を使用するが、強度を確保できればその他の材質でも構わない。
【００１４】
また、取り付け具１０の端部１２は、図１に示すように車種毎の窓枠の厚みに合わせた曲げ加工がなされているが、曲げ加工なくして窓枠に取り付けられるのであれば曲げ加工はなくても構わない。
【００１５】
図２に示すように、取り付け具１０は、車種毎に取り付ける窓に略合致した形状をなす自動車用網戸の枠体２０に取り付け穴１３を利用してネジなどで取り付けられるように成形されている。
【００１６】
取り付け具１０は上記のネジ等による取り付け部を中心に回転することができるが、図２に示すように回転抑止つめ１１が枠体２０の辺部にあたることにより概ね９０度を超える範囲の回転は抑止される。
【００１７】
回転抑止つめが左右対称に位置する取り付け具（左用）１０１および取り付け具（右用）１０２は、上記で述べた回転抑止つめ１１の作用によって端部１２が水平方向から重力方向へ回転しないように、図２の向かって右側に位置する枠体２０の縦枠（右）２２には取り付け具（右用）１０２を、また向かって左側に位置する枠体２０の縦枠（左）２１には取り付け具（左用）１０１を取り付ける。
【００１８】
図２では本取り付け具は枠体の縦枠にのみ取り付けられているが、必要に応じて横枠２３に取り付けても構わない。この場合、横枠２３に取り付けるのは、取り付け具（左用）１０１でも取り付け具（右用）１０２でもどちらでも構わない。
【００１９】
図３は取り付け具（右用）１０２を縦枠（右）２２に取り付けた部分を拡大したものであるが、取り付け具（右用）１０２は図３に示すように１０２ａから１０２ｂの間で約９０度回転することができる。
【００２０】
図４は本考案を使用した自動車用網戸を自動車窓枠へ取り付けた一例を示したものであるが、このように装着することで、自動車の窓枠へ自動車用網戸が容易に装着でき、且つ走行中の振動などにより外れる恐れはないのである。
【図面の簡単な説明】
【００２１】
【図１】本考案の斜視図
【図２】本考案を車両用網戸に取り付けた状態の平面図
【図３】本考案取り付け部の部分拡大平面図
【図４】本考案を使用した自動車用網戸の車両窓枠への取り付け状態を示す水平断面図
【符号の説明】
【００２２】
１０  取り付け具
１０１  取り付け具（左用）
１０２  取り付け具（右用）
１１  回転抑止つめ
１２  端部
１３  取り付け穴
２０  枠体
２１  縦枠（左）
２２  縦枠（右）
２３  横枠
３０  網本体
４０  窓枠
４１  窓ガラス
【図１】
0003130274.tif 000003
【図２】
0003130274.tif 000004
【図３】
0003130274.tif 000005
【図４】
0003130274.tif 000006
(57)【要約】      （修正有）【課題】簡単に使用できる測定器エネルギー保存装置の提供。【解決手段】本考案は一種の測定器用エネルギー保存装置に関わるものである。主に、小電力の計測器内部にエネルギー保存素子を設け、ダイナモ発電装置と組み合わせる。利用者が本考案のエネルギー保存装置を実施した測定器を使用するとき、既設の電気を使い切れたとき、手回し方式により、電気を発生し、エネルギー保存素子に素早く蓄電して、計測器の機能を回復させる。【選択図】図４
0003130269.tif 000002
【実用新案登録請求の範囲】
【請求項１】
測定器本体とエネルギー保存装置を有し、そのうち、本体の一端に挿入孔を設け、エネルギー保存装置の上部に挿入ソケットを設けることにより、両者を簡単に一体化して組み合わせて、蓄積された電気エネルギーを測定器に提供でき、該エネルギー保存装置はダイナモ発電装置を内蔵することを特徴とする測定器エネルギー保存装置。
【請求項２】
該エネルギー保存装置はコンデンサー又は繰り返し充電可能な蓄電池を使用することを特徴とする請求項１記載の測定器エネルギー保存装置。
【考案の詳細な説明】
【技術分野】
【０００１】
本考案は一種の測定器用エネルギー保存装置、特に、一種の簡易型発電及びエネルギー保存の機構により、測定器は時間と場所に拘れることなく、その機能を簡単に使用でき、悪環境の測定現場に対応する。
【背景技術】
【０００２】
測定器の種類が多く、測定の目的により、測定機構はそれぞれ異なる。温度計、湿度計、風速計、照度計、気圧計、回転速度計、ペーハー計、電導計、塩分計、酸素溶存度計、水分計、騒音計、万能テスター、電圧計、直流電圧・電流計、オーム計、フィールド強度計、クランプテスター、震動計、圧力計、気体分析計などの測定器の共通点は、小電力稼働、かつ、短時間使用により、所定の環境要素測定に使用する。前記した測定器本体１はいずれの外観であっても良い。図１に示す一つの実施例において、平時の電力供給系統は内蔵されている。又は図２に示す、底部に電池カバー１１を設けて、図３に示すように電池を取り付けて、電源とする。しかしながら、公知技術の構造による電気供給は、時間経過後内蔵電気が消耗して消えるため、使用できなくなり、ただちに交換しなければならない。いざというときに問題をきたす。
【考案の開示】
【考案が解決しようとする課題】
【０００３】
いざというときに、素早く蓄電して、計測器の機能回復を図り、本考案は図４、５に示す通り、測定器はいずれの外観であっても良い。主にその一端に挿入孔１２を設け、エネルギー保存装置２にダイナモ発電装置を有する。その上部に、挿入ソケット２１を設けることにより、両者を簡単に一体化して電気導通状態を形成し、エネルギー保存装置２より電気エネルギーを提供し、測定器の正常稼働を図る、一種の測定器用のエネルギー保存装置を提供することを本考案の主な目的とする。図６、図７に示す通り、本考案のエネルギー保存装置は図６のコンデンサー２２、又は図７の蓄電池２３を取り付けて、ダイナモ発電装置２４を手回し方式により、充電できる。
【課題を解決するための手段】
【０００４】
請求項１の考案は、測定器本体とエネルギー保存装置を有し、そのうち、本体の一端に挿入孔を設け、エネルギー保存装置の上部に挿入ソケットを設けることにより、両者を簡単に一体化して組み合わせて、蓄積された電気エネルギーを測定器に提供でき、該エネルギー保存装置はダイナモ発電装置を内蔵することを特徴とする測定器エネルギー保存装置としている。
請求項２の考案は、該エネルギー保存装置はコンデンサー又は繰り返し充電可能な蓄電池を使用することを特徴とする請求項１記載の測定器エネルギー保存装置としている。
【考案の効果】
【０００５】
本考案の測定器エネルギー保存装置は、利用者が本考案のエネルギー保存装置を実施した測定器を使用するとき、既設の電気を使い切れたとき、手回し方式により、電気を発生し、エネルギー保存素子に素早く蓄電して、計測器の機能を回復させる。
【考案を実施するための最良の形態】
【０００６】
本考案は前記した各種の測定器に使用できる。測定器に電気が残るとき、選択された環境で正常状態のまま使用できる。電気を消耗したとき、利用者は測定器本体１の把手を回すか、又はエネルギー保存装置２を取り外して回すことにより、電気エネルギーを発生し、エネルギー保存装置に充電され、主電源の機能を提供し、計測場面に使用する。
【０００７】
よって、本考案は時間と場所を選ばずに、エネルギー保存及び使用の効果を有する。
【図面の簡単な説明】
【０００８】
【図１】公知技術の測定器の正面立体図である。
【図２】公知技術の密閉式測定器の背面立体図である。
【図３】公知技術の電池式測定器の背面立体図である。
【図４】本考案の構造分解図である。
【図５】本考案の組合せ立体図である。
【図６】本考案の電気回路レイアウト図(１)である。
【図７】本考案の電気回路レイアウト図(２)である。
【符号の説明】
【０００９】
１  測定器本体
１１  電池カバー
１２  挿入孔
２  エネルギー保存装置
２１  挿入ソケット
２２  コンデンサー
２３  蓄電池
２４  ダイナモ発電装置
【図１】
0003130269.tif 000003
【図２】
0003130269.tif 000004
【図３】
0003130269.tif 000005
【図４】
0003130269.tif 000006
【図５】
0003130269.tif 000007
【図６】
0003130269.tif 000008
【図７】
0003130269.tif 000009
(57)【要約】【課題】本考案は、従来器具の使いにくさや不安定感を解決しようとするもので、軽量で手軽さを求めた歩行器【解決手段】本考案は、主軸に重心をおいて踏み込み運動することで、横揺れがなく、何の抵抗もない安定した姿勢を保て、又踏み込み角度の調整も容易で、自分の体力に応じた運動が出来る。さらに木製であり軽量で場所をとらない足踏み健康歩行器。【選択図】図４
0003130251.tif 000002
【実用新案登録請求の範囲】
【請求項１】
本考案は、本体を構成する台座と、１本の支軸と、１枚又は２枚の踏板より構成し、台座の上に固定された支軸により、踏板の中央部に反復運動可能に支持し、踏板の反復角度、及び踏力を可変できるようにしたことを特徴とする足踏み健康歩行器。
【考案の詳細な説明】
【技術分野】
【０００１】  本考案は、本体を構成する台座と、１本の支軸と、１枚又は２枚の踏板より構成した健康歩行器の構造に関する。
【背景技術】
【０００２】  従来の歩行器具は不安定であったり、また油圧があるなど踏み込みにかなりの力を要し、重量が重いものもあり持ち運びが不便で高齢者や一部の者にあっては使用が不可能な面がある。
【考案の開示】
【考案が解決しようとする課題】
【０００３】  従来より健康歩行器具としては多くの構造が提案され広く使用されてきている。例えば、特願２００１−０３１９３による足踏み健康歩行器の場合はバネを支軸としているため、不安定で足首を痛める可能性もある。又実用新案願平１１−６９３９ステッパーの器具については油圧式のため踏み込みに力を要するため、子供や高齢者、又は体力弱者にとっては使用することが困難であり、前述の欠点を解決しようとする器具である。
【課題を解決しようとする手段】
【０００４】  本考案は、台座に保持部材を固定させ、その保持部材の上に２枚の踏板の中心部分を支持部材で固定し、上下往復運動可能に取り付け、重心の安定をはかった。自力による足踏み動作のみで、外部からの動力は不要で、又踏板と台座の間にゴム板を置くことにより、使用者の体力度に応じた角度の調整が出来る。保持部材の選択については種々の材質を試した結果なるべく既存のものを利用することに心掛けて、重量が軽く、しかも強度も満足できるプラスチック製の部材を使用して解決に至った。
【考案の効果】
【０００５】  本考案は、子供から高齢者迄正しい歩行姿勢を身につけるための器具で、自力で、横揺れがなく、リハビリ効果があり、筋力増進をはかるためのものである。角度の調整も安易で、最も安定した使いやすい器具であり、しかも木製で軽量にして持ち運びが容易で、場所をあまり取ることもなく気軽に運動が出来る。踏み込み方法は椅子に座って使用する場合、また立って使用する場合（この場合は机又は手摺を持って使用）、ともに左右交互に爪先方向と踵方向に重心を替える歩行スタイルに加えて、左右同時に同方向に重心を移動させること（足踏みミシン方式）も出来る。これによりこれまで足の痛みがひどく歩くこともあまりなく、テレビを見ることが多かった者でも、何度か本器を使用することで、腰が安定して楽しく散歩することが出来るようになった。骨折して歩くことが困難であった者が、座っての利用から始めて、立って運動することで歩行することで早く歩行が可能になった。足首や腿の筋肉痛が毎日継続して使用することで痛みがなくなった例などがある。本考案実施図（図４−９）では踏板表面に土踏まず部を設けてある。この土踏まずによって使用時に足の位置決めができ、気持ちよい刺激を与え、一層バランス感覚を増すことが出来る。
【実施例】
【０００６】  図面に従って本考案に係る健康歩行器具の実施例を説明する。第１図には考案に係る斜視図が示されている。第２図はその平面図、第３図は正面図、第４図は側面図である。図中の記号１は部品取り付けの台座、２は二枚の踏板、３は支軸で、踏板２はその中央部を支軸３で上下に反復運動可能に取り付けられている。９は土踏まず部分である。これをおくことで踏板の中央としての位置がきまり安定すると共に土踏まずの刺激をあたえる。また本実施例では踏み込み調整ゴム板４の各２枚の使用例が示されているが、その枚数を増減することにより必然的に反復回転角度の調整と、ゴム板の硬さを変えることにより接地踏み込み感覚の調整もできる。これらは使用者の健康状態により簡単に任意に変更できる。更に踏み込み板バンドは足の甲を押さえ込むスリッパ形式のものが示されているが、鼻緒形式のものが考えられる。また当然のことながら踏板の上面は青竹など貼り付けて踏み込み感覚を変えることも出来る。
【図面の簡単な説明】
【０００７】
【図１】本考案足踏み歩行器の使用図〔椅子の例〕
【図２】本考案〔平面図〕
【図３】本考案〔正面図〕
【図４】本考案〔側面図〕
【符号の説明】
【０００８】１  台座
２  足踏み板
３  支軸
４  踏み込み調整ゴム板
５  足踏みバンド
６  中央保持部材
７  側面保持部材
８  支持部材
９  土踏まず部
【図１】
0003130251.tif 000003
【図２】
0003130251.tif 000004
【図３】
0003130251.tif 000005
【図４】
0003130251.tif 000006
(57)【要約】      （修正有）【課題】雑菌の増殖を防止する抗菌性を有するとともに、口臭を防止することができる爪楊枝を提供する。【解決手段】口臭予防用爪楊枝に関するものであり、更に詳細には、口に銜えて歯間に挟まった食滓等を取り除くことにより口臭を予防することができる口臭予防用爪楊枝に関するものであり、先端側を鋭利に尖らせ基端側に把持する把持部を形成した爪楊枝１において、少なくとも口に銜える先端辺に銀メッキ加工を施した銀メッキ部２を設けたことを特徴とする。【選択図】図１
0003130235.tif 000002
【実用新案登録請求の範囲】
【請求項１】
先端側を鋭利に尖らせ基端側に把持する把持部を形成した爪楊枝において、少なくとも口に銜える先端辺に銀メッキ加工を施した銀メッキ部を設けたことを特徴とする口臭予防用爪楊枝。
【考案の詳細な説明】
【技術分野】
【０００１】  本考案は、口臭予防用爪楊枝に関するものであり、更に詳細には、口に銜えて歯間に挟まった食べ滓等を取ることにより口臭を予防することができる口臭予防用爪楊枝に関するものである。
【背景技術】
【０００２】  従来、この種の爪楊枝は各種多用に製造され夫々役立っており、一般的には竹や木の先端を鋭利に尖らせたものが多く、各家庭や飲食店等で汎用されており、近年では、可撓性のプラスチックや金属や紙などで形成したものや多種多様のものが製造販売されている。【０００３】  例えば、抗菌性を有する爪楊枝として、先に開示されている、細長い棒状体の先部を尖らせたもので、食品添加物のカルシウム、マグネシウムやミネラル等の保健物の粉と、食用抗菌材としての西洋カラシ抽出粉（イソチオシアン酸アリル）とを水に溶かして混練し、これをトウモロコシから得られた澱粉溶解液に入れて混練し、さらにペパーミントの天然ハーブを混練添加して成型した後、熱風乾燥して得るもの（特許文献１参照）や、原紙２には紙繊維の向きが一定方向に揃ったものを用いる。軸１は、原紙２の片面のほぼ全面に糊剤を塗布し、中実に巻込んで作る。この際、巻込軸の方向を紙繊維の向きに合致させる。糊剤には抗菌剤を混入する。巻込後、軸１の先端部３を円錐尖頭状に削るもの（特許文献２参照）がある。
【特許文献１】特開２００１−２９３６７号公報
【特許文献２】実用新案登録第３０４５７９５号公報
【考案の開示】
【考案が解決しようとする課題】
【０００４】  然し乍ら、特許文献１のものは、食品添加物のカルシウム、マグネシウムやミネラル等の保健物の粉と、食用抗菌材としての西洋カラシ抽出粉とを水に溶かして混練し、これをトウモロコシから得られた澱粉溶解液に入れて混練し、さらにペパーミントの天然ハーブを混練添加して成型した後、熱風乾燥して得るもので、食用抗菌材としての西洋カラシは混練されもので、特許文献２のものは、原紙２のほぼ全面に糊剤を塗布し、糊剤には抗菌剤を混入しているもので、段落番号０００７の末行辺に抗菌剤としては、非水溶性のものを用い、例えば、キトサン、ヒノキチオール、ヒノキオイルなどが適し、と記載されており、どちらも、雑菌の増殖を防止する抗菌性は有するものであるが、口臭防止には繋がらないものである。
【課題を解決するための手段】
【０００５】  本考案の口臭予防用爪楊枝は、前述の課題に鑑み、鋭意研鑽の結果、先端側を鋭利に尖らせ基端側に把持する把持部を形成した爪楊枝において、少なくとも口に銜える先端辺に銀メッキ加工を施した銀メッキ部を設けたものである。
【考案の効果】
【０００６】  本考案の口臭予防用爪楊枝は、少なくとも口に銜える先端辺に銀メッキ加工を施した銀メッキ部を設けたもので、つまり、口に銜える部位に薄い銀製の皮膜の銀メッキ部を形成しており、この銀製の皮膜と口の中の唾液（液体）が接触することにより、銀イオンが唾液中に溶け出すものであり、周知のように、銀イオンは水中に溶け出すと浮遊している細菌と引き合い、細菌の体内に入り込み内部の構造に働きかけて細菌の活動を停止させることから、銀を用いることにより細菌による口臭を予防する画期的なもので、実用性の高い考案である。
【考案を実施するための最良の形態】
【０００７】  以下、本考案の口臭予防用爪楊枝の実施様態の図面によって具体的に説明すると、図１は本考案の口臭予防用爪楊枝の実施例の平面説明図であり、図２は本考案の口臭予防用爪楊枝の次実施例の平面説明図である。【０００８】  本考案は、口臭予防用爪楊枝に関するものであり、更に詳細には、口に銜えて歯間に挟まった食滓等を取り除くことにより口臭を予防することができる口臭予防用爪楊枝に関するものであり、先端側を鋭利に尖らせ基端側に把持する把持部を形成した爪楊枝１において、少なくとも口に銜える先端辺に銀メッキ加工を施した銀メッキ部２を設けたことを特徴とするものである。
【実施例】
【０００９】  即ち、本考案の口臭予防用爪楊枝の口に銜える先端辺にに用いる銀メッキ部２による銀イオンは、水中（唾液）に溶け出すと浮遊している細菌と引き合い細菌の体内に入り込み内部の構造に働きかけて細菌の活動を停止させることにより口臭を予防するものである。【００１０】  また、銀イオンは水を分解して水素と酸素を発生させ、この時できる酸素は活性酸素であるが、量は極々微量であり、又瞬時に反応して水に戻るため人体のような大きな生物には何ら問題がないものの、超微細な細菌には脅威を絶えず与え続けて細菌の増殖を抑え口臭の予防をするものである。【００１１】  そして、実施例の爪楊枝１は、主に可撓性を有する合成樹脂、又は、可撓性を有する金属でプレスにより丸棒状、多角棒状に形成するもので、基端側は指で摘み易く形成をして、先端側は歯間の食べ滓を取り除くことを容易とするために鋭利に尖らせいるものである。【００１２】  次に、少なくとも口に銜える先端辺に銀メッキ加工を施した銀メッキ部２を設けているものである。【００１３】  次いで、図１に図示する実施例では、先端に銀メッキ部２を設けているもので、図２図示する次実施例では、先端から若干の間隔を有して銀メッキ部２を設けているものである。【００１４】  尚、平成１８年１１月１０日に、社団法人京都微生物研究所において、菌数測定（菌数の経時変化）を依頼し実施した。菌名は虫歯菌（ミュータンス菌）。初期に１．２×１０５個付着させた抗菌剤入りプラスチック製製品と、同様な銀メッキプラスチック製製品とを２４時間放置して検査した結果、抗菌剤入りプラスチック製製品は２．６×１０２個に減少していたが、銀メッキプラスチック製製品では１００個以下となり、良好な結果を得られたものである。
【産業上の利用可能性】
【００１５】  本考案の口臭予防用爪楊枝は、先端辺に銀メッキ部を設けたもので、この銀製の皮膜と口の中の唾液（液体）が接触することにより、銀イオンが唾液中に溶け出すものであり、周知のように、銀イオンは水中に溶け出すと浮遊している細菌と引き合い、細菌の体内に入り込み内部の構造に働きかけて細菌の活動を停止させることから、細菌による口臭を予防する口臭予防用爪楊枝を提供するものである。
【図面の簡単な説明】
【００１６】
【図１】  図１は本考案の口臭予防用爪楊枝の実施例の平面説明図である。
【図２】  図２は本考案の口臭予防用爪楊枝の次実施例の平面説明図である。
【符号の説明】
【００１７】１      爪楊枝
２      銀メッキ部
【図１】
0003130235.tif 000003
【図２】
0003130235.tif 000004
(57)【要約】      （修正有）【課題】海上等に流出したオイルを、小型船舶等のロッド他備品を利用してその備品より出されたロープに連結することにより、トローリング方式でオイル面上を縦横無尽に航行し、迅速にオイル回収作業ができるオイル回収具を提供する。【解決手段】短冊状に加工したオイル吸着マット１．の片辺を結束２．し  連結用の輪３．を設け、連結用のロープ４．を設けたことを特徴とする。このオイル回収具を小型船舶等の通常は漁に使用する為のロッド等からのロープに連結させ、流出したオイル面上をトローリング方式にて航走しオイル回収作業をする。【選択図】図１
0003130237.tif 000002
【実用新案登録請求の範囲】
【請求項１】
短冊状に加工したオイル吸着マットを束ねて一片を結束し、連結用の輪、及び連結用のロープを取り付け、小型船舶等のロッド等のロープに連結させることによりトローリング方式でオイル回収の作業ができるオイル回収具。
【考案の詳細な説明】
【技術分野】
【０００１】  この考案は、海上等において流出したオイルを回収する為、小型船舶等のロッド等を利用することによりトローリング方式でオイル面を航走しながら迅速にオイルを回収できるようにしたオイル回収具に関するものである。
【背景技術】
【０００２】  従来より、海上等に流出したオイルはオイル吸着用のマットを海上のオイル面に多数散布し、そのオイル吸着マットがオイルを吸着した時点で、船舶上よりフック等を使い、船上に引き上げることにより回収をしていた。しかしこの方法はオイルを吸着したマット自体が大きく膨れ上がることにより、重量も重くなり扱いにくく回収するにも過大な労力と時間を必要とした。
【考案の開示】
【考案が解決しようとする課題】
【０００３】イ．オイル上にオイル吸着マットを散布する手間と時間がかかった。
ロ．いったん海上等にオイル吸着マットを散布すると、マット自体がオイルを吸着するまでにかなりの時間を要した。
ハ．オイルを吸着したマットを回収するにも、マット自体が吸着したオイルにより膨れ上がり重く従って、相当の時間と労力を要した。
ニ．上記作業時にはオイル面上にオイル吸着マットが多数浮いていること作業の形態上、多数の船舶をその作業時に同時使用することには無理がある為、従ってオイル回収作業に相当の時間を要した。
本考案はこの課題を解決する為になされたものである。
【課題を解決するための手段】
【０００４】  現状のオイル吸着マットはかなり大きい為、短冊状に加工し１．束ねて一片を結束する２．ロープ等にも連結できるように連結用の輪３．連結用のロープ４．をつける。この形状であれば、小型化できたうえオイルの吸着面も、加工前のものとさほど変わらない。このオイル回収具を小型船舶等の通常は漁に使用する為のロッド等からのロープに連結させ、流出したオイル面上をトローリング方式にて航走しオイル回収作業をする。
【考案の効果】
【０００５】  このオイル回収具は小型船舶等に取り付けて船舶等より流出したオイル面上を縦横無尽に航走して回収作業ができることを最大の特徴とする。
通常のオイル吸着マットはオイル面に散布したマットがオイルを吸着してしまう迄に時間を要し、またそのマットを船上に回収する迄に再度時間を要し効率が悪い。
また、オイル面上に吸着マットが散布されてある為、他船が同オイル面上を航行することが不可能に近く、作業船が少数に限られ作業の時間等、長時間を必要とする。
本考案のオイル回収具は、現有している小型船舶等のロッド等に簡単に取り付けられ、トローリング方式にてオイル面を航走しながら回収作業をする。
回収具の取り替えも、通常のオイル吸着マットより、オイル吸着後も小型である為、船舶上で簡単に新しいものと交換でき作業の時間が短縮できる。
また同一作業海面等を同一の作業をする複数の船舶が同時航行作業することも可能である為、オイル回収作業の効率化を図れる。
【実施例１】
【０００６】  オイル吸着マットを短冊状に加工し１．束ねて一片を結束する２．ロッド等からのロープに連結できるよう、連結用の輪３．連結用のロープ４．をつける。
このオイル回収具を連結し、小型船舶のロッド等からのロープに結合しトローリング方式でオイルを回収する。
【図面の簡単な説明】
【０００７】
【図１】  本考案の斜視図である。
【図２】  本考案の使用状態を示す平面図である。
【図３】  本考案の使用状態を示す正面図である。
【図４】  本考案の使用状態を示す側面図である。
【符号の説明】
【０００８】１  短冊状に加工したオイル吸着マット
２  結束
３  連結用の輪
４  連結用のロープ
【図１】
0003130237.tif 000003
【図２】
0003130237.tif 000004
【図３】
0003130237.tif 000005
【図４】
0003130237.tif 000006
(57)【要約】      （修正有）【課題】俳句、短歌等の愛好者が常時便利に携帯でき、かつ俳句、短歌の投稿用にも利用できる郵便はがき冊子を提供する。【解決手段】郵便はがき冊子Ａは、表面を郵便はがき１の宛名面とし、裏面には桝目または罫線を印刷し一部分に住所、氏名欄を設けるとともに、差出人の氏名、住所をあらかじめ印刷しておく。当該の郵便はがきを複数枚積層し上端の側縁部を接着し、冊子状にした。１枚ずつは適宜取り外せて郵便はがきとして使用できる。携帯しやすい小型で散歩の途次や旅行先での俳句や短歌創作の際の書付け用に、また投稿はがきとして利用できるものである。【選択図】図１
0003130231.tif 000002
【実用新案登録請求の範囲】
【請求項１】
裏面に桝目または罫線が印刷された郵便はがきを、前記郵便はがきの一側縁部に設けた接着剤で積層したことを特徴とする郵便はがき冊子。
【請求項２】
前記郵便はがき冊子に表紙カバーが設けられた、請求項１記載の郵便はがき冊子。
【請求項３】
前記裏面にあらかじめ差出人の住所、氏名等が印刷されている請求項１、２記載の郵便はがき冊子。
【請求項４】
前記裏面が表紙カバー側に向けて配置された請求項２から３のいずれかに記載の郵便はがき冊子。
【請求項５】
前記冊子の裏面に厚紙の台紙を設けたことを特徴とする請求項１から４のいずれかに記載の郵便はがき冊子。
【請求項６】
前記郵便はがきの間に薄紙が介装された請求項１から５のいずれかに記載の郵便はがき冊子。
【請求項７】
前記郵便はがきの裏面が俳句、短歌の原稿箋である請求項１から６のいずれかに記載の郵便はがき冊子。
【請求項８】
前記郵便はがきの裏面に印刷された桝目が１行１７枡、６行の俳句用の原稿箋である請求項７に記載の郵便はがき冊子。
【考案の詳細な説明】
【技術分野】
【０００１】  本考案は、とくに俳句、短歌等の愛好者が常時便利に携帯でき、かつ俳句、短歌の投稿用にも利用できる郵便はがき冊子である。
【背景技術】
【０００２】  俳句、短歌の多くは散歩や旅行あるいは仕事や家事などの合い間に生まれる即興性の高い文芸である。そのためメモ用紙や紙片、手帳を常時手元に用意しておく。そして投稿に際してはそのつど郵便はがきに作品を清書している。
【考案の開示】
【考案が解決しようとする課題】
【０００３】  このため俳句、短歌愛好者は手帳、ノート、メモ用紙等に立ったままなどでの不安定な姿勢で作品を書くことを余儀なくされるという問題があった。また、投稿に際しては改めて郵便はがきに清書し直さなければならないという二度手間があった。
【課題を解決するための手段】
【０００４】  従って本考案が解決する課題は、このような従来の不便さを解消し、例えば散歩の途次や旅先でも思いついたときに作品を書き、そのまま郵便はがきとして投稿できる、はがき用冊子として提供することである。
第１の考案は、裏面に桝目または罫線が印刷された郵便はがきを複数枚重ねるとともにこれらの一端部を接着剤で積層することにより多くの作品を１冊の中に書き残せ、投稿時には目的の１枚を取り外して投稿はがきとして利用できる。
第２の考案は、前記冊子に表紙カバーをかけることにより美観とともに郵便はがきを汚れ、はそんなどから保護する。
第３の考案は、裏面の通信欄にあらかじめ差出人の住所、氏名等が印刷されているので、表面に宛名を書くだけで投稿はがきとして利用できる。
第４の考案は、はがき裏面を表紙カバー側に向けて積層配置したことにより、片手の掌上で次ページを開けて容易に書き足していける。
第５の考案は、冊子の裏面に厚紙の台紙を設けたことで、外出先や乗り物の車中などでも片手の掌中に置きながら最後の１枚までしっかりした安定感を持って文字の書付ができる。
第６の考案は、各郵便はがきの間に薄紙を介装したことで、これにより記載文の下書きができ、推敲の後、はがきに清書できるため書き損じが少なくなる。
【考案の効果】
【０００５】  本考案の郵便はがき冊子は、裏面に桝目または罫線が印刷された郵便はがきを複数枚重ねるとともにこれらの一端部を接着剤で積層したものである。以上のような構成としたので、散歩の途次や旅先でも思いついたときに片方の掌上で俳句や短歌の作品を書き、そのまま郵便はがきとして投稿できる。かつ、多くの作品を１冊の中に書き残せ、投稿時には目的の１枚を取り外して投稿はがきとして利用できる。
冊子の裏面に厚紙の台紙を設けたことにより、外出先や乗り物の車中などでも掌中に置きながら最後の１枚までしっかりした安定感を保ちながら文字の書き付けができる。また、表紙カバーを付けることにより、郵便はがきを汚れ、破損から保護している。各郵便はがきに薄紙を介装することにより、記載文の下書きができ、推敲の上はがきに清書できるので、はがきの書き損じが防げる。
【考案を実施するための最良の形態】
【０００６】  郵政省の定める第２種郵便物であるところの郵便はがきは、寸法の長辺は１４０〜１５４ｍｍ、短辺９０〜１０７ｍｍ、１枚の重さは２〜６ｇとされ、この範囲の中であれば寸法、厚さは適宜選択されている。好ましくは官製はがきとし、しかもサイズはさらに好ましくはワイシャツのポケットに入るよう左右幅が９５ミリ程度がよい。郵便はがき裏面には俳句、短歌が書きやすいように桝目または罫線を印刷されている。桝目の場合は、１行１７枡とし、俳句なら１行に１句が書ける。左横には氏名、住所欄を設ける。郵便はがきは１冊に１８枚から２４枚を積層することが望ましい。
【実施例】
【０００７】  以下、添付図面に従って一実施例を説明する。本考案に係る郵便はがき冊子Ａには、表紙カバー５が設けられている。８は桝目であり、郵便はがきの裏面１ａに印刷されている。２は差出人の氏名、住所欄であり、あらかじめ差出人の氏名、住所が印刷されている。４は接着剤であり、郵便はがき１の上端の側縁部３に設けられる。本考案に係る郵便はがき冊子Ａは、上記接着剤を介して複数枚の郵便はがきが積層されている。６は厚紙の台紙であり郵便はがき１を積層した最下層に置き、上端の側縁部３で郵便はがきと一体に接着されている。１ｂは郵便はがき表面で、郵便番号欄、郵券添付位置を示す枠および「郵便はがき」の表示が印刷されている。７は下書き用の薄紙であり、郵便はがき１、１の間に介装したものである。
【図面の簡単な説明】
【０００８】
【図１】第１図は、郵便はがき冊子の全体斜視図である。
【図２】第２図は、郵便はがき冊子の郵便はがき表面である。
【図３】第３図は、下書き用の薄紙を介装した郵便はがき冊子の斜視図である。
【符号の説明】
【０００９】Ａ  本考案の郵便はがき冊子の本体
１  郵便はがき
１ａ  郵便はがき裏面
１ｂ  郵便はがき表面
２  差出人氏名、住所等刷り込み欄
３  上端側縁部
４  接着剤
５  表紙カバー
６  厚紙の台紙
７  薄紙
８  桝目または罫線
【図１】
0003130231.tif 000003
【図２】
0003130231.tif 000004
【図３】
0003130231.tif 000005
(57)【要約】      （修正有）【課題】シャープペンシルを使用する際、ホルダーに、外した消しゴムキャップをさしこんで、脱落を防いで、紛失を防止するシャープペンシルの構造を提供する。【解決手段】頂上部に開けた穴を持つ消しゴムキャップ２を取り外した際、ホルダー３の先端突起部４を超えてさしこむ。この突起部を歯止めとするか、ホルダー３の側面との摩擦を利用するか、又は両者を併用して、消しゴムキャップ２の脱落を防ぎ、紛失を防止する。構造は極めて簡単、製造コストは安価である。大部分のメーカーの、各種スタイルの機種に活用できて、キャップの紛失、これに伴う本体の廃棄等ユーザーの不満を解消するものである。【選択図】図１
0003130232.tif 000002
【実用新案登録請求の範囲】
【請求項１】
頂上部に開けた穴をもつ消しゴム用キヤップを外して、ホルダーに差し込み保持するが、この際、先端内側の突起部を、通り超して、此れを歯止めとするか、ホルダー側面の摩擦を利用するか、又は両者を併用して、確実にキャップの脱落を防止する、シャープペンシルの構造。
【考案の詳細な説明】
【技術分野】
【０００１】    本考案は、シャープペンシルの消しゴム用キャップと、シャープペンシルホルダーの組合せにより、消しゴム用キャップを外した際の脱落に伴う、紛失を防止したものである。
【背景技術】
【０００２】    従来多くのシャープペンシルに於いては、消しゴムを使用する際、キャップを外し使用するが、シャープペンシル本体に保持する場所が無かった、（図２）、其の為本体よりキャップを外すと、キャップは本体と離れ、紛失しやすかった。
【考案の開示】
【考案が解決しようとしている課題】
【０００３】    消しゴム用キャップは、軽量、丸型、小型、を特長とした部品であり、例えば、シャープペンシル本体より外して、机上に置いた場合、転がり易く床に落下したら、大変であり、まず見つからない事が多かった。
尚紛失後、キャップを補充する事は殆ど出来なかった。理由は、メーカー毎、規格が異なり、又大部の機種は、パーツとして販売していないのが実情である。
従ってキャップを紛失すると、胸ポケットにさした場合、格好はよくない。
又キャップは、デザインの一部を構成しており、ファッション化したシャープペンシルに於いては、価値は激減するので、字は書く事は出来ても、既に馴染んでおる安価なシャープペンシルでも、惜しみつつ廃棄する人が、多かった。小生も度々経験して、心に傷つく事も多かった。
又高価なシャープペンシルに於いても、脱落防止装置は無く、シャープペンシル全般に対する改良要望が多くあった。
以上のように、本案はシャープペンシルに於ける、消しゴム用キャップの紛失を防ぐ事を課題としたものである。
【課題を解決する為の手段】
【０００４】    この問題を解決する為の請求項１の考案は、シャープペンシルには、必ず設けてある、衣服等のポケットに差し込むホルダーに、外した消しゴム用キャップを差し込む事により解決した。
この際、確実に保持する為、消しゴム用キャップの頂上部に穴を開けて、ホルダー先端裏側の突起部を通り越さして、差し込み、此れを歯止めとするか、ホルダーの側面部との摩擦を利用するか、又は両者を併用して、確実にキャップの脱落を防止するものである。
【発明の効果】
【０００５】    消しゴム用キャップは、ホルダー先端の突起部と、ホルダー側面の摩擦により滑り落ちる事は無い。又消しゴム用キャップは、ホルダーの中間部付近に保持されるので、筆記の邪魔にはならない。
尚シャープペンシルに要望される、ファッション性を大きく損なう事も無い。
又構造は極めて簡単であり、製造コストは極めて安く、メーカーを問わず、シャープペンシルの大部に使用出来て、其の適用範囲は極めて広い。
従って、本案はシャープペンシルに於ける、消しゴム用キャップ紛失の欠点を解消したものである。
【考案を実施するための最良の形態】
【０００６】  本考案の消しゴム用キャップ２の紛失防止装置は、筆記に使用する際、図１に示すように、頂上部に穴１を開けた、消しゴム用キャップ２を本体５より取り外し、ホルダー３に差し込むが、先端突起部４を通り越して、押し込み、突起部を歯止めとするか、ホルダー側面の摩擦によるか、又は両者を併用して確実に保持する。
使用後はホルダー３より引き抜き、消しゴム６に被せる。
この一連の操作は簡単である。
【図面の簡単な説明】
【０００７】
【図１】  本考案の使用状態を示す、シャープペンシルのホルダーに、頂上部に穴を開けた、消しゴム用キャップを、ホルダーに取り付けた部分斜視図である。
【図２】  従来のシャープペンシルに、頂上部に穴を開けた、消しゴム用キャップを、消しゴム部に被せた、斜視図である。
【図３】
【符号の説明】
【０００８】  １    頂上部に開けた穴
２    消しゴム用キヤップ
３    ホルダー
４    先端突起部
５    シャープペンシル本体
６    消しゴム
【図１】
0003130232.tif 000003
【図２】
0003130232.tif 000004
【図３】
0003130232.tif 000005